(57)【要約】【目的】本発明は長尺状の建築用パネルを施工した際の、目地の化粧材、汚染防止材、等として機能する連結部構造に関するものである。【構成】建築用パネルＣの連結部の構造において、水平面状の係止面と、係止面の先端近傍に外方に突出して形成された係止爪とからなる係止部と、係止部の他方端に形成し建築用パネル間の連結目地部に突出するように形成した目地形成部とからなる目地形成材Ａが、建築用パネルＣ間の雄実部と雌実部間の連結目地部γ間に係止されている連結部構造である。【選択図】図１
2009121172.tif 000002
【特許請求の範囲】
【請求項１】
建築用パネルの連結部の構造において、水平面状の係止面と、該係止面の先端近傍に外方に突出して形成された係止爪とからなる係止部と、該係止部の他方端に形成し建築用パネル間の連結目地部に突出するように形成した目地形成部とからなる目地形成材が、建築用パネル間の雄実部と雌実部間の連結目地部間に係止されていることを特徴とする連結部構造。
【発明の詳細な説明】
【技術分野】
【０００１】
本発明は長尺状の建築用パネルを施工した際の、目地の化粧材、汚染防止材、等として機能する連結部構造に関するものである。
【背景技術】
【０００２】
一般に、金属系パネル、薄板状の表面材と裏面材にて合成樹脂発泡体からなる芯材をサンドイッチした金属系サイディング材間にキャップを装着する構造が発明されて上市されている。（例えば、特許文献１、２参照）。
【０００３】
【特許文献１】特許第２６３３４４４号
【特許文献２】特許第２６８６２１１号
【発明の開示】
【発明が解決しようとする課題】
【０００４】
しかしながら、これら構造は目地間の固定具をカバーする構造であり、目地部のデザイン性を向上したり、雨水による汚染を防止する思想は存在しなかった。
【課題を解決するための手段】
【０００５】
本発明はこのような欠点を解決するために、建築用パネルの連結部の構造において、水平面状の係止面と、係止面の先端近傍に外方に突出して形成された係止爪とからなる係止部と、係止部の他方端に形成し建築用パネル間の連結目地部に突出するように形成した目地形成部とからなる目地形成材が、建築用パネル間の雄実部と雌実部間の連結目地部間に係止されている連結部構造を提供するものである。
【発明の効果】
【０００６】
本発明に係る連結部構造によれば、目地形成材により（１）壁面のデザイン性を向上出来る。（２）壁面の創作性が向上する。（３）高級感のある壁面を形成出来る。（４）窓枠からの雨水による建築用パネルの汚染を防止出来る。（５）建築用パネル施工後に目地形成材の取り付けが可能である。等の特徴、効果がある。
【発明を実施するための最良の形態】
【０００７】
以下に、図面を用いて本発明に係る連結部構造の一実施例について詳細に説明する。図１は本発明に係る連結部構造の一実施例を示す断面図、図２（ａ）〜（ｃ）は目地形成材Ａの代表的な例を示す断面図と斜視図である。図３は建築用パネルＣを示す断面図である。なお、Ｂはパッキング材、αは躯体（一点鎖線はアスファルトフェルト、防風透湿シート、等のシート）、βは固定具、γは連結目地部である。
【０００８】
さらに詳説すると、目地形成材Ａは水平面状の係止面１と、係止面１の先端近傍の側面２を外方に突出して形成された係止爪３とからなる係止部４と、係止部４の他方端に形成し建築用パネルＣ間の連結目地部γに突出するように形成した上面５と、上面５の先端を内側方に突出した下面６とからなる目地形成部７とから形成したものである。
【０００９】
目地形成材Ａの素材としては、金属製薄板材、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、合成樹脂製板材、例えば塩化ビニル樹脂、ポリカーボネイト樹脂等（勿論、これらを各種色調に塗装したカラー板を含む）の一種、あるいは金属製板材に樹脂をモールディングした材料、等を各種形状に成形したものである。
【００１０】
係止部４は、図１に示すように建築用パネルＣの左右端部の雄実部１１、雌実部１２間の連結目地部γに挿入され、雌実部１２に形成した段差１２ａに係止爪２を係止することにより建築用パネルＣ間に目地形成材Ａを固定する部分である。
【００１１】
目地形成部７は建築用パネルＣ間の連結部の目地部において、目地化粧部、雨水跡防止部として機能するものである。
【００１２】
さらに詳説すると、目地形成部７は建築用パネルＣが縦張りの場合には、目地化粧部として機能し、立体的なデザインを形成することが出来るものである。
【００１３】
また、目地形成部７は建築用パネルＣが横張りの場合には、目地化粧部、雨水跡防止部として機能し、立体的なデザインが形成出来ると共に、建築用パネルＣの化粧面よりも外側方に突出させて形成することにより、窓枠からの雨水跡を防止することにより防汚染性を発揮するものである。また、目地形成部７は建築用パネルＣの化粧面よりも外側方に突出させて形成することにより、連結目地部γの立体的なデザイン化を図り、今までにないデザイン性を発揮することが出来るものである。
【００１４】
さらに、建築用パネルＣの化粧面と違った材質、違った色調で配置するデザイン化、１枚毎、２枚毎、ランダムに等、設計に則したデザイン化が可能である。
【００１５】
パッキング材Ｂは目地部の防水性の強化のために形成するものであり、例えば定型で弾性のあるパッキング材としては、例えば発泡ゴム、ポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているもの、あるいは硬化型のパッキング材（シーリング材）としてはシリコーン系（反応硬化型、湿気硬化型）、変成シリコーン系（反応硬化型）、ポリサルファイド系（反応硬化型）、ポリウレタン系（反応硬化型、湿気硬化型）、ＳＢＲ系（乾燥硬化型）、アクリル系（乾燥硬化型）等よりなるものであり、主に防水材、気密材等の機能として有用なものである。勿論、これらの成分中に無機材等の難燃材、あるいは耐火性、防火性を有する例えばポリリン酸アンモニウム、水酸化アルミニウム、フェノール樹脂粒、カーボンブラック、グラファイト（発泡、非発泡）等の難燃材を混入した耐火性のあるパッキング材を使用しても良いものである。
【００１６】
建築用パネルＣは一例としては、表面材８と裏面材９で合成樹脂を原料とする合成樹脂発泡体からなる芯材１０を、サンドイッチした建築用パネルＣであり、少なくとも上下端部に雄実部１１と雌実部１２、段差１２ａ、固定部１３を形成した金属系サイディング材である。また、その他に金属系パネル、窯業系サイディング材、タイル、ＡＬＣ、コンクリートパネル、等の乾式工法の建築用パネルＣである。勿論、縦張り、横張りのどちらでも施工は可能である。
【００１７】
表面材８、裏面材９は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したもの、さらには、アルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。
【００１８】
段差１２ａは、図２に示すように、建築用パネルＣ間に挿入した目地形成材Ａの係止爪２を係止することにより目地形成材Ａを建築用パネルＣ間に固定しするためのものである。
【００１９】
また、芯材１０はポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、例えばレゾール型フェノールの原液と、硬化剤、発泡剤を混合し、表面材８、もしくは裏面材９の裏面側に吐出させ、加熱して反応・発泡・硬化させて形成したものである。また、芯材１０中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００２０】
ここで、本発明に係る連結部構造の施工方法について説明する。まず、図４に示すように躯体αに図３に示すような建築用パネルＣの固定部１３を釘等の固定具βにより固定する、次に、図５、図６に示すように建築用パネルＣを固定し、その後、目地形成材Ａを矢印で示すように連結目地部γ間に挿入し、段差１２ａに係止爪２を係止して図７、図８に示すように目地形成材Ａを固定するものである。勿論、目地形成材Ａは雨水による窓下の汚染防止用に窓下部分に
形成したり、あるいはデザインに合わせて形成するものである。
【００２１】
以上説明したのは、本発明に係る連結部構造の一実施例にすぎず、目地形成材Ａ、建築用パネルＣを図９〜図１６に示すように形成して連結部構造を形成することも出来るものである。なお、段差１１ａは雌型連結部１１側に形成した場合のものである。
【図面の簡単な説明】
【００２２】
【図１】本発明に係る連結部構造の一実施例を示す断面図である。
【図２】本発明に係る連結部構造に使用する目地形成材の一実施例を示す説明図である。
【図３】本発明に係る連結部構造に使用する建築用パネルの一実施例を示す断面図である。
【図４】本発明に係る連結部構造の施工順序の一例を示す断面図である。
【図５】本発明に係る連結部構造の施工順序の一例を示す断面図である。
【図６】本発明に係る連結部構造の施工順序の一例を示す断面図である。
【図７】本発明に係る連結部構造の施工順序の一例を示す断面図である。
【図８】本発明に係る連結部構造の施工順序の一例を示す断面図である。
【図９】本発明に係る連結部構造のその他の実施例を示す断面図である。
【図１０】本発明に係る連結部構造のその他の実施例を示す断面図である。
【図１１】本発明に係る連結部構造のその他の実施例を示す断面図である。
【図１２】本発明に係る連結部構造のその他の実施例を示す断面図である。
【図１３】本発明に係る連結部構造のその他の実施例を示す断面図である。
【図１４】本発明に係る連結部構造のその他の実施例を示す断面図である。
【図１５】本発明に係る連結部構造のその他の実施例を示す断面図である。
【図１６】本発明に係る連結部構造のその他の実施例を示す断面図である。
【符号の説明】
【００２３】
Ａ  目地形成材
Ｂ  パッキング材
Ｃ  建築用パネル
α  躯体
β  固定具
γ  連結目地部
１  係止面
２  係止爪
３  側面
４  係止部
５  上面
６  下面
７  目地形成部
８  表面材
９  裏面材
１０  芯材
１１  雄実部
１１ａ  段差
１２  雌実部
１２ａ  段差
１３  固定面
【図１】
2009121172.tif 000003
【図２】
2009121172.tif 000004
【図３】
2009121172.tif 000005
【図４】
2009121172.tif 000006
【図５】
2009121172.tif 000007
【図６】
2009121172.tif 000008
【図７】
2009121172.tif 000009
【図８】
2009121172.tif 000010
【図９】
2009121172.tif 000011
【図１０】
2009121172.tif 000012
【図１１】
2009121172.tif 000013
【図１２】
2009121172.tif 000014
【図１３】
2009121172.tif 000015
【図１４】
2009121172.tif 000016
【図１５】
2009121172.tif 000017
【図１６】
2009121172.tif 000018